(57)【特許請求の範囲】
【請求項１】
全体形状が滑らかな多面体（３）である外側表面（６）を有しており、海岸及び川岸の建造物を保護するための構造用の一体成形コンクリート防護壁ブロックであって、該ブロックの外側表面（６）の少なくとも一部は、ブロックに形成された一体的な突起（４）及びへこみ（５）あるいはその両方を有しており、該突起（４）及びへこみ（５）あるいはその両方は、滑らかな多面体（３）における局所的な一般平面と交わる複数の平面に複数の面を有して、第１のブロックの前記複数の面と該第１のブロックに連結される第２のブロックの前記複数の面との間に平面対平面の接触をもたらすようになっており、該突起（４）及びへこみ（５）あるいはその両方は、全体として、防護壁ブロックが設置される場所の自然石の地形学的形状と同等の地形学的形状を有する、不規則で変化に富んだ凹凸を与えることを特徴とする、前記防護壁ブロック。
【請求項２】
防護壁ブロックのコンクリートが、当該場所の自然石の色調で彩色されることを特徴とする請求項１に記載の防護壁ブロック。
【請求項３】
請求項１に記載の一体成形コンクリート防護壁ブロックを成形するための型枠であって、一体成形コンクリート防護壁ブロックのへこみ（５）及び突起（４）あるいはその両方を形成するために、複数の突起部材が組み込まれており、該突起部材は、それらの間にへこみを備えるか又はへこみを形成していることを特徴とする、前記型枠。
【発明の詳細な説明】
【０００１】
【発明の属する技術分野】
本発明は、波や水流から海岸及び川岸の建造物を保護するための構造をもつ一体成形コンクリート防護壁ブロック及びこのようなブロックを作るための型枠に関するものである。
【０００２】
人造ブロックに関して追求されている技術的特徴は、一方では水力学的安定性であり、もう一方では堅牢性である。
【０００３】
これらの技術的特徴に加えて、ブロックの設計者の目的は、それらの使用にふさわしい安定性及び堅牢性を保ちつつ、所与の防護壁に必要とされるコンクリートの量を減らすことにある。そのために設計者は、重なり合ったブロック間の空隙の量を増大させるように、ブロックの寸法や構成部分の角度に手を加える。
【０００４】
設計者には、重なり合ったブロック中により多くの空隙を作り出しながらも、強固な重なりを作り出すようにブロックを構成する脚部または台部の一般的寸法と形状を変えようとする傾向がある。この点については、１９８０年代の文献ＵＳ−Ａ−４３４７０１７のブロックと、最近の文献ＵＳ−Ａ−５４４１３６２のより細長くなったブロックとを比較することができる。さらに、各ブロックにおけるコンクリートの量を減らす目的で、ブロックの形状が細長くなっている。
【０００５】
こうすると、結果的にブロックの脚部が脆弱になり、そのためにさらに細くなっていってしまう。
【０００６】
こうしてできたブロックは、無視できないコンクリートの経済的効果をもたらす。しかしながら、これらのブロックはより弱く、そのため、いずれは防護壁の重なりに欠陥が生じ、砕けたブロックがめりこんでしまうことから、海岸及び川岸の建造物の一部がむき出しになってしまい、損傷の原因となる恐れがある。
【０００７】
ＮＬ−Ａ−８９０３１３８は、型枠コンクリートの防護壁ブロックに関するものである。この文献で提案されている技術の目的は、周囲を取り囲んでいる他のブロックによって一つのブロックに加えられる最大衝突力を減少させるための装置によってブロックの脆弱さを補うことにある。
【０００８】
ここで提案されている方法は、型枠コンクリートでできた防護壁ブロックに、防護壁ブロックより剛性の小さいアスファルトまたはゴム、あるいはまたセメントとゴムの複合材でできた表層を備えるというものである。こうしてブロック間の衝撃が緩和される。
【０００９】
さらに、この表層は、同じ目的のために、都合よく、その表層が覆われているブロックより剛性が小さくなるように、木材、ゴムまたはコンクリートでできた突出部またはへりをもつことができることが明示されている。
【００１０】
しかしながら、ここで提案されている突出部及びへりの形状は幾何学的に規則正しいものである。
【００１１】
本発明に至った考察の基本方針はそれとは非常に異なる。それは、防護壁の水力学的係数（coefficient hydraulique）を改善し、すなわちブロック間の動きと衝撃を制限するように、ブロック間の連結を大きく改善することに基づいている。
【００１２】
【発明が解決しようとする課題】
したがって、本発明の目的は、既存のブロックの最良の寸法比を保ちながら、構造上の耐久性に影響を及ぼすことなく、不規則で変化に富んだ多数の凹凸をブロックの表面に作り出すことにある。こうして、ブロックの構造上の耐久性を弱まらせることなく、連結の等方性（isotropique de l´accrochage）の改善を得ることができる。
【００１３】
この点において本発明は、製造しやすくするため、特に型取外しを容易にするために、一体成形コンクリートでできた防護壁ブロックが、場合によっては、ＮＬ−Ａ−８９０３１３８のように後から表層を付け加えることによって、滑らかな成形外皮を有していなければならないといった一般的な考え方とは完全に対立するものである。
【００１４】
さらに、ＮＬ−Ａ−８９０３１３８で提案されているような後から付け加えられる緩衝用の突出部及びへりの規則的な特性は、本発明によるブロックの連結等方性という特性とは正反対のものである。
【００１５】
【課題を解決するための手段】
したがって本発明は、滑らかな多面体を決定する一般形状の外面を有する海岸及び川岸の建造物を保護するための構造をもつ一体成形コンクリート防護壁ブロックに関するものである。本発明によれば、少なくともブロックの外側表面の一部は、ブロック全体の中に鋳造された突起またはへこみあるいはその両方を有しており、突起またはへこみあるいはその両方は、滑らかな多面体における局所的な一般平面（plan general）と交わる平面内に複数の面を有しており、これらの突起またはへこみあるいはその両方は、全体として不規則で変化に富んだ凹凸を形成している。
【００１６】
この不規則で変化に富んだ凹凸によって、あらゆる方向において（等方性）ブロック間の連結係数を大きくする、すなわち水力学的安定係数を高めることが可能になる。連結係数が大きくなると、ブロック（ブロック用のコンクリート全体）の基本的慣性(l´inertie elementaire)を小さくすることができ、各ブロックの質量の減少は、ブロック間のより効率よい連結によって補われる。この結果、防護壁の任意の表面を作り出す際にコンクリートを節約することができる。
【００１７】
突起またはへこみあるいはその両方の面は、方向の異なる二次平面であり、それによって、従来の技術の滑らかな表面に対してブロック間の安定した平面同士の接触の可能性が倍増する。
【００１８】
ブロック間の平面同士の安定した接触の可能性が倍増することによって、ブロック間の空隙の量も多くなる。
【００１９】
さらに突起またはへこみは、コンクリートの塊の中で鋳造されるので、ブロックの機械的耐久性が保たれ、その結果生じる凹凸が、後から付け加えられた表層にできる凹凸よりはるかに優れたせん断強さを有している。
【００２０】
このことによって、同じ数のブロックで、従来の技術と同等のグループ効果を保ちながらも、より大きな表面積の防護壁を得ることができる
また、環境基準によって、人工的構造物はそれが設置される場所の自然景観に最もよく溶け込むことがますます求められている。この点において、滑らかな外皮の一体成形コンクリートでできた防護壁ブロックは、これらの基準に応えることはできず、それらが使用されているサイトの景観を損なう。したがって、こうした現場では、石切場から運ばれた自然の捨て石を使用することが必要である。ところで、石切場の開放は、それ自体も厳しく規制されており、適したサイズの自然の捨て石の運搬は公害（交通量、騒音、汚染、アクセス用基礎施設の設置等）の原因となる。
【００２１】
したがって、本発明のもう一つの目的は、防護壁ブロックが設置されている現場の岩石のタイプの自然の凹凸の全体形状と類似した全体形状（地形学的形状(geomorphism)）をもつ、成形された突起またはへこみあるいはその両方を有する本発明による一体成形コンクリート防護壁ブロックを提案することにある。
【００２２】
このため、本発明は、任意の地形学的形状を有する場所に配置された成形突起またはへこみあるいはその両方を有する一体成形コンクリート防護壁ブロックに関するものである。本発明によれば、成形された突起またはへこみあるいはその両方は、当該場所の凹凸の地形学的形状とほぼ同等の全体的な地形学的形状を示している。
【００２３】
本発明によるブロックの一般的利点に加えて、この特性を有するブロックは、自然の捨て石のサイトへの納入と運搬経路に関する制約を条件を限定することによって、サイトを損なうことなく自然の捨て石の代用をするという利点を有している。
【００２４】
都合よく、ブロックを構成するコンクリートは、当該の場所の地質学的環境の色調で彩色することができる。
【００２５】
本発明はまた、本発明によるブロックを作り出すための型枠に関するものである。
【００２６】
【発明の実施の形態】
添付の図面を参照して、以下に本発明の他の利点及び特性を説明する。
【００２７】
例として提案されているブロックは、滑らかな多面体としてＵＳ−Ａ−４３４７０１７のブロック形状を有しているブロックであり、しかしながら、これらの例はあくまで説明のためであって、本発明によるブロックの基本的タイプを限定するものではない。
【００２８】
本発明は、海岸及び川岸の建造物を保護するための構造をもつ一体成形コンクリート防護壁ブロック１に関するものである。
【００２９】
このブロック１は、脚部間の所与の角度及び距離で相互に配置された脚２で構成されている。
【００３０】
このブロック１は滑らかな多面体３を画定する全体的輪郭をもつ外側表面６を有している。ブロックの外側輪郭の滑らかな表面を滑らかな多面体３と呼ぶ。従来の技術においては、この滑らかな多面体は、ブロックの型枠をはずしたままの外側表面に対応している。
【００３１】
本発明によれば、外側表面６の少なくとも一部分は、滑らかな多面体３に比べて、成形された突起４またはへこみ５あるいはその両方を有している。
【００３２】
従来の技術では、滑らかな型枠を外した結果として表面に欠陥ができる場合があるが、これは本発明によるブロック１の突起４またはへこみ５あるいはその両方とは異なるものであることは明らかである。
【００３３】
ブロック１について、本発明によれば、ブロック１の滑らかな多面体３は、滑らかな型枠の中に流し込まれる同等のブロックの外側表面に対応する想像による多面体である。
【００３４】
突起４またはへこみ５あるいはその両方は、ブロック１の型枠（ここでは示されていないが）の中で自発的に作られるへこみまたは突起、あるいはその両方によるものである。
【００３５】
都合よく、型枠（ここには示されていないが）は同等の滑らかな外皮のブロックの滑らかな型枠とすることもできるが、その場合には、コンクリートが型枠の中に流し込まれたときに、肯定的な結果としてブロック１にへこみ５と突起４が得られように、へこみを有する、あるいは互いの間にへこみを作り出すような突起エレメントが付け加えられる。
【００３６】
このように、同等の滑らかなブロックの最良の均斉は遵守しながらも、本発明によるブロック１を作り出すために必要なコンクリートエレメントの量は、型枠の中に加えられた突起エレメントの量だけ少なくなり、これらの突起エレメントがブロック１上では、へこみ５及び突起４を作り出し、連結係数が大きくなることから、滑らかな同等品に比べてブロック１の基本的な質量の欠点を解消することができる。
【００３７】
これらの突起４またはへこみ５、あるいはその両方は、滑らかな多面体の局所的平面と交わっている平面の中に構成面を有しており、全体として不規則な大きな起伏を形成している。このために、平面の数が著しく増え、それらの平面の中で重なり合ったブロック１は安定した支持状態が得られやすくなる。この結果生じる重なり合いは、防護壁のグループ効果を保ちながらも、滑らかな外皮を有するブロックよりも大きな空隙をブロック内に有している。
【００３８】
図２Ａから図２Ｄ及び図３Ａから図３Ｄは、本発明によるブロックの二つの例を示しているが、これらの例において、突起４またはへこみ５あるいはその両方はそれぞれ、玄武岩質のサイト及び花崗岩質のサイトと同類の地形学的形状を示している。この要領で、本発明によるブロックは、景観を損なうことなく、堆積物のサイトに組み込むことができる。
【００３９】
地形学的形状のブロックは、都合よく、それが置かれるサイトの地質学的色合いに似た色調で質量全体を彩色することもできる。
【００４０】
本発明による型枠は、都合よく、滑らかな型枠を手直して作ることもできる。こうした手直しした型枠の方法は、以下の段階で行われる。
【００４１】
手直しする型枠とブロックとの間にある程度の厚さの空隙が存在するように、手直しされる滑らかな型枠の容積より小さな容積の相似関係にある滑らかなブロックを作る。
【００４２】
第一の実施形態においては、ブロックに直接、突起とへこみを彫る。型枠の中央に掘られたブロックを置き、掘られたブロックと型枠の滑らかな壁面との間に成形可能な材料を流し込む。こうして、手直しされる滑らかな型枠の中に完全に組込まれる再生可能なブロックの成形品が得られる。
【００４３】
第二の実施形態においては、なめらかなブロックの表面に、容易に仕上げ加工できる材料の層を塗り、その中で突起とへこみを仕上げ加工する。次に外層を仕上げ加工したブロックを型枠の中央に置き、外層を仕上げ加工したブロックと型枠の滑らかな壁面との間に成形できる材料を流し込む。この結果、再生可能で、手直しされる滑らかな型枠のなかに完全に組込まれるブロックの成形品が得られる。
【００４４】
もちろん、本発明はここに説明し、図で示されている実施形態に限定されるわけではなく、本発明の範囲に逸脱しない限り、技術者が考え得る数多くの代案が考えられる。とりわけ、本発明の範囲を逸脱しない限り、滑らかなベースブロックを他の従来のブロックに取り替えることができる。同様に、本発明の範囲を逸脱しない限り、花崗岩や玄武岩とは別の自然の地形学的同形と同類の地形学的形状を有するブロックを活用することもできる。
【図面の簡単な説明】
【図１Ａ】本発明によるブロックの概略図である。
【図１Ｂ】本発明によるブロックの概略図である。
【図１Ｃ】本発明によるブロックの概略図である。
【図２Ａ】花崗岩質の地形学的形状を有する本発明によるブロックの実施例の概略図である。
【図２Ｂ】花崗岩質の地形学的形状を有する本発明によるブロックの実施例の概略図である。
【図２Ｃ】花崗岩質の地形学的形状を有する本発明によるブロックの実施例の概略図である。
【図２Ｄ】花崗岩質の地形学的形状を有する本発明によるブロックの実施例の概略図である。
【図３Ａ】玄武岩質の地形学的形状を有する本発明によるブロックの実施例の概略図である。
【図３Ｂ】玄武岩質の地形学的形状を有する本発明によるブロックの実施例の概略図である。
【図３Ｃ】玄武岩質の地形学的形状を有する本発明によるブロックの実施例の概略図である。
【図３Ｄ】玄武岩質の地形学的形状を有する本発明によるブロックの実施例の概略図である。
【符号の説明】
３  多面体
４  突起
５  へこみ
６  外側表面
【図１Ａ】
0003903396.tif 000002
【図１Ｂ】
0003903396.tif 000003
【図１Ｃ】
0003903396.tif 000004
【図２Ａ】
0003903396.tif 000005
【図２Ｂ】
0003903396.tif 000006
【図２Ｃ】
0003903396.tif 000007
【図２Ｄ】
0003903396.tif 000008
【図３Ａ】
0003903396.tif 000009
【図３Ｂ】
0003903396.tif 000010
【図３Ｃ】
0003903396.tif 000011
【図３Ｄ】
0003903396.tif 000012